(57)【特許請求の範囲】
【請求項１】
ディスクを載せたディスク載置手段を積層して設けたディスク収納部と、
前記積層されたディスクのうちの選択されたディスクの上下に空間を形成する制御手段と、
前記上下に空間が形成された前記選択されたディスクへ向かって進退する再生手段と、
を備えたディスクの記録及び／又は再生装置において、
非再生時に前記再生手段をロックするロック手段を設け、
前記ロック手段を、前記再生手段の進路へ向かって進退自在なロック部材を含んで構成し、
前記ロック手段を前記制御手段によって連動、駆動する、
ことを特徴とするディスクの記録及び／又は再生装置。
【請求項２】
前記制御手段と前記ロック部材とのうちの少なくともいずれか一方にロック部材を押し出すためのテーパ部を設け、ロック部材を元の位置へ復帰させるための復帰手段を設けた請求項１に記載のディスクの記録及び／又は再生装置。
【発明の詳細な説明】
【０００１】
【発明の属する技術分野】
本発明は複数枚のディスクを収容して記録・再生を行なうディスクの記録及び／又は再生装置に関する。
【０００２】
【従来の技術】
音声を再生する目的で車両に搭載されるディスクの記録及び／又は再生装置としては、ディスクプレーヤがある。このディスクプレーヤは、複数枚のＣＤ（コンパクトディスク）をマガジンに収納し、マガジン単位でまとめて複数枚のＣＤを一度に交換する方式になっている。このため、大形化するので本体部分をトランク内に収容する一方、車室内には操作に必要な部分のみが設置されている。しかし、車両の走行中にＣＤを交換することはできず、停車してトランクを開けて行なうことが必要になり、面倒である。
【０００３】
このため、近年では車室内に収容する車載用のディスクプレーヤが開発されている。車載用のディスクプレーヤは複数枚のＣＤを収容できるものが要求されており、車室内のインダッシュの定められた空間に収容される。従って、車載用のディスクプレーヤを小形化することが重要な課題となっている。
【０００４】
この車載用のディスクプレーヤとしては、例えば１ＤＩＮサイズ等と呼ばれる一定の寸法の枠体（シャーシ）内にＣＤを個別に載せるトレイを例えば６枚重ねてディスク収納部を構成し、６枚のＣＤは個別に挿入と排出とが可能であって、６枚のＣＤのうちの一枚を順次に選択して再生できるように構成されている。
【０００５】
ディスクを再生する再生手段の作用を以下に説明する。一対のアームが回動可能に設けられ、一方のアームの先端には回転駆動されるターンテーブルが設けられている。一対のアームが共に回動してディスクを挟持したあとターンテーブルが回転し、光ピックアップの作用によりディスクの再生が行われる。
【０００６】
【発明が解決しようとする課題】
ところが、再生手段がディスクから離れた非再生状態において、車両が走行する際の振動が再生手段に伝わり、再生手段がとび出してディスクの外周面に衝突するおそれがある。
【０００７】
そこで本発明は、斯かる課題を解決したディスクの記録及び／又は再生装置を提供することを目的とする。
【０００８】
【課題を解決するための手段】
斯かる目的を達成するため本発明は、ディスクを載せたディスク載置手段を積層して設けたディスク収納部と、前記積層されたディスクのうちの選択されたディスクの上下に空間を形成する制御手段と、前記上下に空間が形成された前記選択されたディスクへ向かって進退する再生手段とを備えたディスクの記録及び／又は再生装置において、非再生時に前記再生手段をロックするロック手段を設け、前記ロック手段を、前記再生手段の進路へ向かって進退自在なロック部材を含んで構成し、前記ロック手段を前記制御手段によって連動、駆動することを特徴とする。
【０００９】
【発明の実施の形態】
以下、本発明によるディスクの記録及び／又は再生装置の実施の形態を説明する。
【００１０】
この実施の形態は、音声を再生するディスクプレーヤに本発明を適用したものである。
（Ａ）ディスクプレーヤの構造の全体構成
図１〜図２０に示すように、ディスクプレーヤは大きく分けて外観形状を形成する枠体１と、枠体１内の前面側に配置されるとともにＣＤを収納するディスク収納部３と、枠体１の前面板１ａの挿脱口４に設けられるとともに、ディスク収納部３内へＣＤを挿入したり排出したりするための移送手段５と、移送手段５の前面側に設けられるとともに前面板１ａの挿脱口４を開閉する開閉手段６と、枠体１内の背面側に配置されるとともにディスク収納部３内のＣＤのうちのいずれか一枚を選択して再生する再生手段７と、ディスク収納部３の背面側の左右に設けられるとともに排出しようとするＣＤを移送手段５へ向かって押し出す押出手段８と、枠体１の左右の側板１ｂ，１ｃの外側に主として設けられるとともに、ディスク収納部３や再生手段７等を操作するための操作手段９とで構成される。
【００１１】
前記の再生手段７は、昇降するピックアップ昇降台１０の両側に配置されるとともにディスク収納部３内の複数のＣＤのうちの選択されたＣＤの上下に空間を形成するための制御手段１１と、ピックアップ昇降台１０の上に回動自在に設けられた下アーム１３と上アーム１２とによって構成されるとともに前記空間に入り込んで選択されたＣＤを挟持する挟持手段１４と、前記下アーム１３に取り付けられるとともに挟持したＣＤを回転駆動するディスク駆動手段１５と、前記下アーム１３に設けられるとともに回転するＣＤから情報を読み取るピックアップユニット１６と、ＣＤを挿脱するための状態である挿脱モードとＣＤを再生するための状態である再生モードとのうちの再生モードのときにのみ前記移送手段５の駆動力を挟持手段１４へ伝えて回動させる回動力供給手段１７と、挟持手段１４がＣＤを挟持する時期を設定する規制手段１８とで構成されている。
（Ｂ）枠体
まず、枠体１について説明する。枠体１は前面板１ａと側板１ｂ，１ｃと天井板１ｄと底板１ｅとで構成され、背面は開放されている。そして、側板１ｂ，１ｃと底板１ｅとは一体化されている。
（Ｃ）ディスク収納部
図３（ａ）に示すように、ディスク収納部３はディスク載置手段としての６枚のトレイ２と６枚のトレイ２を載せたディスク昇降台２２とによって構成されており、枠体１内の前面側には支持手段として鉛直方向に沿う４本のガイド支柱２３の両端が底板１ｅ，天井板１ｄに結合して支持されている。
【００１２】
トレイ２は図４に示すように薄いアルミ板２ａの両側の上面にガイド部材としての樹脂２ｂを貼着して形成されている。夫々の樹脂２ｂの中間部と背面側には側方へ突出する一対のピン２ｃ，２ｄが形成されており、前面側のものは長く、背面側のものは短い。樹脂２ｂの高さはＣＤの厚さと略同一の高さに設定されている。
【００１３】
樹脂２ｂの上面にはアルミ板２ａとの間にＣＤを挟むためのバネ手段としての板バネ２ｅの前面側が固着されている。図５に示すように、板バネ２ｅの背面側の内側にはＣＤを押える押え部２ｆが形成される一方、中間部の外側には後述する分離カム８２の下面によって下方へ押さえられる受け部２ｇと、後述する上段嵌入部８２ｊの下面によって上方へ向かう力を受ける受け部２ｈとが形成されている。板バネ２ｅにおける押え部２ｆの部分の構成を説明する。押え部２ｆは他の部分よりも少し高くなるように曲げて形成されており、ＣＤの上面に当接する部分には下方へ突出する畝状突出部２ｍが形成されている。トレイ２の上へＣＤが押し込まれる際に、ＣＤが押え部２ｆの下方へ案内されるようにするガイド部２ｎが押え部２ｆの内側の傾斜した部分に立ち上がるように形成されている。ＣＤの中心はＣＤが当接する一対の樹脂２ｂの背面内側の一対の位置決め部２ｒによって決定されるが、図６のように何らかの原因により板バネ２ｅの背面側が持ち上げられてＣＤが樹脂２ｂの上に載ると、図６の左方へＣＤ１７１が移動可能となって、ＣＤ１７１の位置決めがされなくなってしまう。このため、板バネ２ｅの背面側が樹脂２ｅの背面側の端面の位置で下方へ向かって折り曲げられて補助位置決め部２ｐを構成している。この補助位置決め部２ｐから背面側へ突出するようにしてＣＤに当接する当接部２ｑが形成され、板バネ２ｅによってＣＤが傷付かないようにＲ部を構成している。
【００１４】
夫々の樹脂２ｂの前面側及び背面側には、前記ガイド支柱２３を挿通するためのガイド孔２ｉが樹脂２ｂ及びアルミ板２ａを貫通して形成されている。アルミ板２ａの両面におけるＣＤの外周面近傍が当接する部分には円弧に沿って図示しない緩衝材が貼着されている。最上段のトレイ２における樹脂２ｂの両端には、図３（ａ）にも示すように天井板１ｄと最上段のトレイ２との間に設ける付勢手段としてのコイルバネ２４を受けるための円筒形のバネ受け２ｊが一体的に形成され、図３（ｂ）に示すようにバネ受け２ｊの下端が内側へ少し突出して受け部２ｋが形成され、受け部２ｋでコイルバネ２４の下端を受けるようになっている。これは、長いバネを用いることによって圧縮長さが大きくなっても圧縮に要する荷重があまり大きくならないようにするために設けられている。
【００１５】
一方、ディスク昇降台２２は、左右端を上方へ屈曲させた形状に形成されている。水平な部分には前記ガイド支柱２３を挿通するためのガイド孔２２ａが形成され、左右の鉛直な部分の外側にはディスク昇降台２２を昇降させるための一対のピン２２ｂが水平方向へ突出させて固着されている。これらの一対のピン２２ｂは、枠体１の側板１ｂ，１ｃに夫々形成された２本の鉛直スリット２５に挿通されて枠体１の外へ突出している。
【００１６】
前記ディスク昇降台２２と６枚のトレイ２とが、これらのガイド孔２２ａ，２ｉにガイド支柱２３を挿通させることで昇降自在に支持されている。そして、枠体１の天井板１ｄ，底板１ｅには４本のバネガイド２６の上端，下端が固着され、夫々のバネガイド２６はバネ受け２ｊに挿通されている。そして、バネガイド２６を囲繞するようにして設けられた付勢手段としてのコイルバネ２４の下端がバネ受け２ｊの下端の前記受け部２ｋに当接している。
（Ｄ）移送手段
図２に示すように、移送手段５は、枠体１の前面板１ａに設けられている。前面板１ａには挿脱口４が形成されている。挿脱口４には駆動軸３０と従動軸３１とが回転自在に支持されている。駆動軸３０の両端は回転自在に前面板１ａに取り付けられている。従動軸３１の両端は前面板１ａの側面に鉛直方向へ長く形成された長孔３２に挿通されている。駆動軸３０，従動軸３１の中間部を支持するため、図７に示すように下方への移動が拘束された樹脂軸受３３の背面側の溝３３ａに駆動軸３０の中間部の小径部が回転自在に嵌め込まれる一方、図示しない一対のガイド突起と一対のガイド溝とを介して昇降自在な樹脂軸受３４の背面側の溝３４ａに従動軸３１の中間部の小径部が回転自在に嵌め込まれている。従動軸３１には樹脂からなる一対のローラ３５が取り付けられ、駆動軸３０にはゴムからなる一対のローラ３６が取り付けられ、いずれも図示しない止め輪により軸心方向へのスライドが拘束されている。
【００１７】
従動軸３１と駆動軸３０との間には、従動軸３１を駆動軸３０へ向かって付勢するためのバネ３８が設けられている。バネ３８は一対のローラ３５，３６の外側であって側板１ｂ，側板１ｃの内側に一対設けられる。図１０に示すように、このバネ３８は一対のバネ片３８ａにより形成されている。バネ片３８ａはねじりコイル部３８ｂと駆動軸３０を挿入するための掛け部３８ｃと、従動軸３１に掛けるための掛け部３８ｄとで形成されており、掛け部３８ｄどうしを一体化して一対のバネ片３８ａを一体に形成する事により、バネ３８が傾くことなく安定して装着される。なお、掛け部３８ｃと駆動軸３０との間および掛け部３８ｄと従動軸３１との間にスリーブを介在させてもよい。
【００１８】
前記駆動軸３０を駆動するための手段について説明する。図８に示すように、駆動軸３０の右端には歯車３９が固着され、右側板１ｃの内側には歯車４０と、歯車４１と、相互に一体化した歯車４２，４３が回転自在に支持されている。底板１ｅの上には歯車４３に噛み合うウォーム４４と歯車４５とが一体となって回転自在に支持され、底板１ｅに取り付けた移送用モータ４６の出力軸に固着したウォーム４７が歯車４５と噛み合っている。
【００１９】
ローラ３５，３６によるＣＤの挿入が完了したのちに更に数ミリメートルだけＣＤを押し込む操作が自動的に行なわれるようにするため、図７に示すように押込手段４８が設けられている。前面板１ａにおける挿脱口４の上下には三対の長孔状のガイド孔４９，５０，５１が水平方向に沿って形成されている。前面板１ａの背面側の左右には一対のスライド台５２が設けられ、スライド台５２に固着された３本のガイドピン５３，５４，５５が前記ガイド孔４９，５０，５１に抜取不可能に挿通されている。夫々のスライド台５２における背面側には鉛直軸５６を介して押込部材としての樹脂製の縦ローラ５７が回転自在に支持されている。一対のスライド台５２を相互に接近する方向へ付勢するため、前面板１ａに形成されたバネ掛部５８とスライド台５２に形成されたバネ掛部５９との間には押込バネ６０が設けられている。
【００２０】
前記一対の縦ローラ５７は、押込手段４８として作用するだけでなく、ＣＤの位置決め手段としても作用する。図１１（ｂ）に示すように底板１ｅと天井板１ｄとの間には背面側に２本の位置決めロッド１７２，１７３が設けられる一方、前面側には図７もに示すように底板１ｅに立設された位置決めロッド６１ａ，６２ａと位置決めロッド６１ａ，６２ａの延長線上に配置された位置決めロッド６１ｂ，６２ｂが設けられ、円周方向での４個所でＣＤの位置決めがなされる。
【００２１】
一方、ＣＤを挿脱する為に位置決めロッド６１ａ，６２ａと位置決めロッド６１ｂ，６２ｂとの間の挿脱高さ位置にディスクの移動エリアが形成され、移動エリアに位置するＣＤは、これらの位置決めロッドにより位置決めされないことになる。このため、一対の縦ローラ５７が位置決めロッドの作用を代理することになる。ディスク昇降台２２と共にＣＤは上下動する為、ＣＤが縦ローラ５７の上下の端面に干渉しないように、図１２に示すように縦ローラ５７の上下端にはテーパ面５７ａが形成されている。
（Ｅ）開閉手段
前面板１ａの挿脱口４を開閉する開閉手段６について説明する。図２に示すように前面板１ａの前面側にはシャッタ６４が昇降自在に設けられている。シャッタ６４にはＣＤを通過させるための開口部６４ａが形成され、シャッタ６４が上昇すると開口部６４ａの中間高さ位置がローラ３５，３６の境界位置（以下、挿脱高さ位置という）を占めて「開」になる一方、シャッタ６４が下降すると「閉」になる。
【００２２】
即ち、前面板１ａの左右には上下で一対のガイドピン６５が立設される一方、シャッタ６４には鉛直方向へ長い一対のガイド孔６４ｂが形成され、ガイド孔６４ｂに挿通されたガイドピン６５の先端には止め輪が嵌合されている。シャッタ６４が上昇して「開」になったときにのみ一対のスライド台５２の間隔が大きくなり得るようにするため、中央近傍の一対の前記ガイドピン５４が他のガイドピン５３，５５よりも長く設定され、ガイドピン５４を挿通するためのＬ字形のガイド孔６４ｃがシャッタ６４に形成されている。
【００２３】
次に、シャッタ６４を開閉するためのリンク機構について説明する。断面形状が略Ｌ字形の左右スライド板６６の前面及び下面に左右方向へ長いガイド孔６６ａが形成される一方、当該ガイド孔６６ａへ挿通されたガイドピン６７が前面板１ａ，底板１ｅに固着されている。シャッタ６４の両側の下部にはカム孔６４ｅが形成される一方、左右スライド板６６の前面側の両端にはスライドピン６６ｂが固着され、スライドピン６６ｂがカム孔６４ｅに挿通されている。左右スライド板６６の下面と底面１ｅの下面とには図２６（ｂ）に示すように下方へ突出するバネ掛部６６ｃ，６８が形成され、両者間には復帰バネ６９が掛けられている。底板１ｅの左下面には前後方向へスライド自在に前後スライド板７０が設けられている。即ち、前後スライド板７０に一対のガイド孔７０ａが形成される一方、ガイド孔７０ａに挿通した図示しない頭付ピンが底板１ｅに固着されている。略Ｌ字形のレバー７２の屈曲部が図７のように固定軸７３を介して回動自在に底板１ｅの下面に取り付けられ、レバー７２の先端には長孔７２ａ，７２ａが夫々形成されている。そして、左右スライド板６６，前後スライド板７０に固着されたピン６６ｄ，７０ｂが長孔７２ａ，７２ａに遊嵌されている。前後スライド板７０には後述する外スライダ１４０によって押圧される被押圧部７０ｃが形成されている。
（Ｆ）再生手段
再生手段７は、ディスクプレーヤの奥行寸法をできるだけ小さくするため、ディスク収納部３の背後に接近して配置されている。再生手段７における挟持手段１４は図２に示すようにピックアップ昇降台１０の上に搭載されているので、最初にピックアップ昇降台１０について説明する。
【００２４】
ピックアップ昇降台１０は水平板とその両側の鉛直板とを一体に形成したものであり、水平板の前面側にはＣＤがはい入り込むように円弧状の切欠部１０ａが形成されている。夫々の鉛直板にはピックアップ昇降台１０を昇降させるための一対のピン７７が水平方向へ突出させて固着されている。一対のピン７７は同一高さに配置され、前記ディスク昇降台２２の一対のピン２２ｂよりも短くなっている。これらのピン７７は、枠体１の側板１ｂ，１ｃに形成された一対の鉛直スリット７８に挿通されて枠体１の外へ突出している。
【００２５】
▲１▼制御手段
図２に示すように、ピックアップ昇降台１０における両側の鉛直板の内側には、上下方向へ重なり合うトレイ２の間へ挿入して選択されたＣＤ（以下、単に選択ＣＤという）の上下に空間を形成したり、ディスクの挿入・排出とディスクの支持とを制御する制御手段１１として、樹脂からなる分離カム８２が前後方向へスライド自在に設けられている。即ち、ピックアップ昇降台１０における鉛直板の前面側上部にガイド孔１０ｅが形成されるとともにガイド孔１０ｅに挿通された頭付ガイドピン８２ａが分離カム８２に固着される一方、図３（ａ）に示すように分離カム８２の下部にガイド孔８２ｂが形成されるとともにガイド孔８２ｂに挿通された図２の頭付ガイドピン１０ｂが鉛直板の前後方向での中間位置に固着されている。
【００２６】
分離カム８２は前記トレイ２へ向かって挿入し、トレイ２における両側の４本のピン２ｃ，２ｄを押し上げることによってトレイ２を安定して支持しかつ再生するＣＤが載ったトレイ２の上下に空間を形成するものである。分離カム８２は、前後方向の長さの異なる２枚の板にスリットを形成して貼り合せたような形状になっており、分離カム８２をトレイ２の両側へ滑り込ませることにより、前面側はトレイ２の一対の長いピン２ｃを上動させ、背面側は一対の短いピン２ｄを上動させるように構成されている。
【００２７】
即ち、図３０のように構成されている。選択されたＣＤを載せる選択トレイ２及びこれより上方のトレイ２を上動させるために一対の第一分離制御部８２ｃ1，８２ｃ1が形成され、夫々の第一分離制御部８２ｃ1の上方には選択トレイ２よりも上方のトレイ２だけを上動させるための第二分離制御部８２ｃ2，８２ｃ2が形成されている。そして、第一分離制御部８２ｃ1と第二分離制御部８２ｃ2との間には選択トレイ２のみを保持する第三分離制御部８２ｄが夫々形成され、第一分離制御部８２ｃ1と第二分離制御部８２ｃ2と第三分離制御部８２ｄとで分離制御部を構成している。選択トレイ２よりも上方のトレイ２のピン２ｃ，２ｄの位置を保持する上面８２ｆと、選択トレイ２よりも下方のトレイ２のピン２ｃ，２ｄの位置を保持しかつ板バネ２ｅの受け部２ｇを押さえ込む位置制限手段としての下面８２ｈとが分離カム８２の移動方向に沿って形成されている。
【００２８】
選択トレイ２及び選択トレイ２より上のトレイ２のピン２ｃ，２ｄは第一，第二分離制御部８２ｃ1，８２ｃ2の前進によって押し上げられるため、本来は例えばθ＝４５゜等の一定の値に設定される。しかし、ここではコイルバネ２４を圧縮しながらトレイ２が上昇することになり、トレイ２の位置が高くなるほどコイルバネ２４の圧縮量が大きくなってトレイ２を押し上げる際に加わる負荷が大きくなる。換言すればコイルバネ２４の圧縮の初期の段階では負荷が小さい。このため、図３０（ａ）に示すように第一，第二分離制御部８２ｃ1，８２ｃ2の上部は例えばθ1＝４５゜とする一方、下部は例えばθ2＝６０゜とし、両者の中間部を弧状の面により形成することで負荷が一定になるようにしている。
【００２９】
次に第三分離制御部８２ｄ，８２ｄについて説明する。第三分離制御部８２ｄ，８２ｄは、上段嵌入部８２ｊ，８２ｊと、降下制御部としての中段嵌入部８２ｋ，８２ｋと、下段嵌入部８２ｍ，８２ｍとで構成されている。上段嵌入部８２ｊ，８２ｊは選択トレイ２の上下に空間を形成するためのものであり、中段嵌入部８２ｋ，８２ｋは選択トレイ２及び選択ＣＤを共に降下させて下アーム１３のターンテーブル９７上に選択ＣＤを載せるためのものであり、下段嵌入部８２ｍ，８２ｍは選択トレイ２のみを再び降下させて選択トレイ２を選択ＣＤから離すためのものである。
【００３０】
▲２▼挟持手段
制御手段１１により形成された選択ＣＤの上下の空間へ向かって回動させて選択ＣＤを挟持する挟持手段１４について説明する。ピックアップ昇降台１０の左側には下アーム１３と上アーム１２との基端部が回動自在に取り付けられている。即ち、以下のようになっている。図１４に示すように下アーム１３には中空軸８６の下端近傍が固着され、この中空軸８６の下端がピックアップ昇降台１０を回動自在に貫通し、抜け止めのために中空軸８６の下端には平座金９３と止め輪９４とが取り付けられている。そして、上アーム１２の基端部には銅合金からなるスリーブ８７が貫通して固着され、スリーブ８７に中空軸８６が挿通されることにより下アーム１３に対して上アーム１２が平行な状態で、降下して選択ＣＤが挟持されるようになっている。中空軸８６の上端には平座金８８が挿通されるとともに止め輪が取り付けられており、平座金８８とスリーブ８７との間には上アーム１２を下方へ付勢する挟持バネ８９が設けられている。また、中空軸８６まわりに下アーム１３と上アーム１２とが相対的に回動することなく同期して一体的に回動するように、図１３に示すように下アーム１３に立設した摺動ピン９０が上アーム１２に形成した孔９１に摺動自在に挿通されている。挟持手段１４が回動したときに下アーム１３上の後述するターンテーブル９７とＣＤとの位置決めの精度を上げるため、ピックアップ昇降台１０上の中空軸８６の中には底板１ｅに立設した支柱９２が挿通されている。
【００３１】
ここで、図１５に示すように、挟持手段１４は非再生時には寸法Ｊだけピックアップ昇降台１０および枠体１から背面側へ突出している。これは、挟持手段１４の取付位置を本来取りつける位置よりも寸法Ｊだけ図中の左方の背面側へずらしたように見えるが、実際は枠体１を寸法Ｊの分だけ削除して小さくしたものである。このように枠体１を小さくしたのは以下の理由による。ディスクプレーヤは車室内のインダシュの定められた空間に収容されるため、ディスクプレーヤの奥行き寸法は出来るだけ小さくしたいという要求がある一方で、再生時には車両の走行による振動がディスクプレーヤに伝わらないように、枠体１を緩衝手段としてのバネを介して揺動自在に支持した状態でケース１７７内に収容するために枠体１とケース１７７の内壁との間に隙間を設ける必要があるが、非再生時にはこの隙間がなくても問題は生じない。
【００３２】
このため、再生時には図４１のように挟持手段１４がＡ位置に移動するためにケース１７７の内壁Ｋと枠体１との間に隙間Ｊが生じ、非再生時には図４０のように挟持手段１４がＢ位置に戻るために内壁Ｋと枠体１(実際は挟持手段１４のみ)とが当接するように構成されている。即ち、本来は図１５において再生時，非再生時を問わず挟持手段１４が隠れる内壁Ｋの位置まで枠体１を形成するため、隙間Ｍを形成する為には内壁Ｋの位置よりも外側に内壁Ｌを形成しなければならなかったが、隙間Ｊは再生時に存在すれば十分であることから、本来ならば内壁Lの位置に設定されるものが内壁Ｋの位置であれば足りることになり、寸法Mの分だけケース１７７を小さくすることができてインダッシュの占有空間を従来より小さくすることができる。
【００３３】
▲３▼ディスク駆動手段
下アーム１３の先端上面にはディスク駆動手段１５が設けられている。即ち、図１３に示すようにスピンドルモータ９６が取り付けられ、スピンドルモータ９６の出力軸にはＣＤの中央の孔へ嵌まり込むターンテーブル９７が取り付けられている。一方、上アーム１２の先端近傍には図４４に示すように支持板９８の一端が固着され、他端には円形の孔が形成されている。そして、樹脂によって形成されるとともに円板の下面に円に沿って畝状の凸部を形成したディスク保持手段としてのチャックプレート９９が上方から孔に回転自在に嵌め込まれている。このチャックプレート９９は、上アーム１２の下面に一端が固着された図示しないバネ板の他端により抜け止めされている。ＣＤはターンテーブル９７とチャックプレート９９によって保持される。
【００３４】
▲４▼ピックアップユニット
下アーム１３の上面には、図１５のようにピックアップユニット１６も搭載されている。ピックアップユニット１６の構成を以下に説明する。下アーム１３と一体に形成されたガイドレール１６１を介して光ピックアップ１６２が下アーム１３の長さ方向に沿って移動自在に設けられている。そして、光ピックアップ１６２をガイドレール１６１に沿って往復移動させるための手段が設けられている。下アーム１３の上面には一対の軸受部材１６３を介してねじ軸１６４が回動自在に支持され、光ピックアップ１６２の図示しないめねじ部がねじ軸１６４に螺合している。このねじ軸１６４には前記スリーブ８７の近傍に固定した走査用モータ１６５の出力軸が連動連結されている。即ち、ウォームホイール１６６とねじ歯車１６７とを一体化した歯車１６８が回転自在に支持され、出力軸のウォーム１６９がウォームホイール１６６に噛み合う一方、ねじ軸１６４に取り付けられたねじ歯車１７０がねじ歯車１６７に噛み合っている。
【００３５】
▲５▼回動力供給手段
前記移送用モータ４６の駆動力で挟持手段１４を回動させるための回動力供給手段１７の構成を以下に説明する。枠体１の左の側板１ｂの内側には図８のように歯車列１０３が設けられている。即ち、歯車列１０３は、歯車１０３ａ〜１０３ｈによって構成されている。一方、前記駆動軸３０の左端にも歯車１０４が固着されている。左の側板１ｂの内側には、鉛直方向へ移動自在にプレート１０５が設けられている。即ち、プレート１０５の上部には鉛直方向へ長いガイド孔１０５ａが形成され、ガイド孔１０５ａに挿通されたガイドピン１０６（図３８参照）が左の側板１ｂに固着されてガイドピン１０６には止め輪が取り付けられている。プレート１０５の下部と枠体１の底板１ｅとにはバネ掛け部１０５ｂ，１０７が形成され、プレート１０５を下方へ付勢する復帰バネ１０８が両者間に設けられている。プレート１０５には前記歯車１０３ｈの軸１０９（側板１ｂに固着されている）を挿通する逃げ孔１０５ｃが形成されており、軸１０９にはレバー１１０の基端部が回動自在に取り付けられている。このレバー１１０の先端にはレバー１１０を貫通する移動軸１１１が固着され、移動軸１１１には歯車１０３ｈと噛み合う歯車１１２が回転自在に取り付けられている。プレート１０５における逃げ孔１０５ｃの上方にはカム孔１０５ｄが形成され、移動軸１１１の貫通端部がカム孔１０５ｄに挿通されている。つまりプレート１０５を上動させると、カム孔１０５ｄが上動し、カム孔１０５ｄに挿通されている移動軸１１１は前面側へ移動することから、移動軸１１１に取り付けられた歯車１１２が、駆動軸３０の歯車１０４とも噛み合うことになる。このプレート１０５を上動させるため、レバー１１３の中間部がピン１１４を介して左の側板１ｂの内側に回動自在に支持され、レバー１１３の一端がピン１１５を介して回動自在にプレート１０５の下部に結合されている。レバー１１３の他端はディスク昇降台２２のピン２２ｂが挿通される左の側板１ｂの一対のガイド孔２５の前面側のものの下部に臨んでいる。つまり、ディスク昇降台２２が最下位置にきて再生モードになると、ピン２２ｂがレバー１１３の他端を下方へ押して歯車１１２が歯車１０４と噛み合う。
【００３６】
次に、歯車列１０３の最上部の歯車１０３ａと挟持手段１４の下アーム１３とが以下のようにして連動連結されている。図２に示すように前後方向へ長い鉛直部と鉛直部の背面側に一体に形成された水平部とからなるスライドバー１１６が設けられている。スライドバー１１６における鉛直部の両端近傍には一対のガイド孔１１６ａが形成され、図７のように一対のガイド孔１１６ａに挿通された一対のガイドピン１１７が左の側板１ｂの内側に固着されるとともに止め輪が取り付けられている。このようにして前後方向へスライド自在なスライドバー１１６における前面側の下部にはラック１１６ｂが形成されて前記歯車１０３ａと噛み合う一方、背面側の水平部の先端には下方へ突出する係合ピン１１６ｃの上端が固着されている。この係合ピン１１６ｃは、図１３のように前記下アーム１３の基端部に一体に形成されるとともに上アーム１２の高さまで延長した水平部の長孔１３ａに遊嵌されている。この長孔１３ａは図１５のようにスリーブ８７の軸心を通りかつスリーブ８７と直角な半径方向の直線に沿って長く形成されている。
【００３７】
▲６▼アームの位置決め手段
ディスクプレーヤには、ディスク収納部３内にＣＤを挿入したり排出したりする挿脱モードの状態と、ＣＤを再生する再生モードの状態との２つの操作状態があり、前者の場合は挟持手段１４は図４０のようにＢ位置を占め、後者の場合は図４１のようにＡ位置を占める。Ｂ位置とＡ位置との間での挟持手段１４の回動は前記のように回動力供給手段１７を介して行なわれる。しかし、選択ＣＤと下アーム１３上のターンテーブル９７との位置決めを高精度に行なう必要があるので、図１７の位置決め手段１１８が設けられている。
【００３８】
位置決め手段１１８の構造を以下に説明する。図１５，１７に示すように下アーム１３における中空軸８６の近傍には、下方へ向かって突出する位置決めピン１１９の上端が固着されている。一方、挟持手段１４が回動するときに位置決めピン１１９が移動する範囲と対応する部分のピックアップ昇降台１０には円弧孔１０ｃが形成され、円弧孔１０ｃに位置決めピン１１９が遊嵌されている。ピックアップ昇降台１０には下方へ突出してバネ掛け部１０ｄが形成され、バネ掛け部１０ｄと位置決めピン１１９との間にはトグルバネ１２０の両端が掛けられている。挟持手段１４がＢ，Ａ位置を占めるときに位置決めピン１１９が占める位置をｂ，ａ位置とすると、ｂ，ａの中間点であるｃ位置が位置決めピン１１９の運動の方向が変わる変曲点であり、ｃ位置と対応する位置に前記バネ掛け部１０ｄが配置されている。
【００３９】
▲７▼アームロック手段
走行する車両の振動によりＣＤの非再生時に再生手段７を構成する挟持手段１４が収納状態である図１３のＢ位置からとび出すおそれがある。このため、挟持手段１４をＢ位置でロックするアームロック手段が設けられている。アームロック手段は以下のように構成されている。図に示すように下アーム１３の先端はピックアップ昇降台１０の円弧状の切欠部１０ａに沿って長くなっており、その先端には上方へ向かって立ちあがる係合部１３ｂが形成されている。
【００４０】
一方、係合部１３ｂに当接して下アーム１３をロックするロック部材１７４が設けられている。図１９に示すように、ロック部材１７４に形成された長孔１７４ａに一対の頭付きピン１７５を挿入してピックアップ昇降台１０に結合する事により、ロック部材１７４が分離カム８２のスライド方向と直角な左右方向へスライド自在に設けられている。ロック部材１７４には、係合部１３ｂに当接するロック部１７４ｂとバネ掛け部１７４ｃとが形成され、ロック部が係合部１３ｂから離れる方向へ付勢する復帰手段としてのバネ１７６がバネ掛け部１７４ｃとピックアップ昇降台１０上のバネ掛け部１０ｆとの間に設けられている。又、バネ１７６の付勢力に抗してロック部１７４ｂを係合部１３ｂへ向かって押出す機構が設けられている。ロック部材１７４を駆動する駆動手段として、制御手段11としての分離カム８２が用いられている。ロック部材１７４における分離カム８２と対向する部分にはテーパ部１７４ｄと摺動部１７４ｅとが「く」の字形に立ちあげて形成されている。一方、一対の分離カム８２のうちの図２の右側のものにはテーパ部１７４ｄと摺動部１７４ｅとが入り込む凹部８２ｔが形成され、凹部８２ｔの内壁にはテーパー面８２ｕが形成されている。
【００４１】
▲８▼ＣＤの位置決め手段
枠体１に対するＣＤの位置決めは、前記のように円周方向での４個所に配置した図１１の位置決めピンによって行われる。一方、ターンテーブル９７に対するＣＤの位置決めとして、図１３のようにターンテーブル９７の取り付けられた下アーム１３における基端部側の立ち上がり部に、ピックアップ昇降台１０の水平面と略直角に、ＣＤ位置決め手段としてのＣＤ位置決め部１３ｃが形成されている。図１６に示すようにターンテーブル９７に形成された円錐台部９７ａの傾斜面９７ｂに沿ってＣＤ１７１が降下するにしたがってＣＤ１７１が位置決めされ、ＣＤが確実に装着された状態でＣＤ１７１とＣＤ位置決め部１３ｃとの間に僅かな隙間が形成されるように、ＣＤ位置決め部１３ｃの位置が設定されている。ＣＤ位置決め部１３ｃは、ＣＤに傷がつかないように外面は円弧状にＲが形成されている。
【００４２】
▲９▼規制手段
前記挟持手段１４の上アーム１２は前記挟持バネ８９により下方へ付勢されており、図１３のように、この挟持バネ８９の付勢力で上アーム１２が降下する時期を設定するための規制手段１８が設けられている。即ち、以下のように構成されている。
【００４３】
ピックアップ昇降台１０の上面であって前記挟持手段１４と分離カム８２との間には円筒板１２４が立設されている。この円筒板１２４はスリーブ８７を中心とする円筒の一部である部分円筒を形成しており、図４２，図４３のように円筒板１２４には周方向に長い水平部１２５ａと軸方向に長い鉛直部１２５ｂとからなるＬ字形のガイド孔１２５が形成されている。一方、上アーム１２の基端部にはスリーブ８７を中心とする半径方向の外側へ向かって突出するガイドピン１２ａが固着され、ガイドピン１２ａはガイド孔１２５に挿入されている。このため、図１３において挟持手段１４が待機位置のＢ位置を占めるときと、Ｂ位置から再生位置のＡ位置を占める直前まではガイドピン１２ａがガイド孔１２５の水平部１２５ａに位置するため、挟持バネ８９の付勢力が加わっていても上アーム１２は降下することなく挟持手段１４は開の状態を維持する一方、挟持手段１４がＡ位置にくると、ガイドピン１２ａが鉛直部１２５ｂに位置するため、挟持バネ８９の付勢力で上アーム１２が降下してガイドピン１２ａも鉛直部１２５ｂの下端まで下がることになる。
【００４４】
挟持手段１４が図１３のＡ位置まで回動してガイドピン１２ａがガイド孔１２５の鉛直部１２５ｂまで回動してきても直ちに挟持手段１４が挟持動作をせずに、指令を与えて初めて挟持動作するようにするため、ガイドピン１２ａの下動を一時的に規制する第一規制手段と、規制後に前記分離カム８２が前進し、選択ＣＤ及び選択トレイ２が降下して前記ターンテーブル９７の上に載ったときに規制を解除して選択ＣＤを挟持させる第二規制手段が設けられている。即ち、以下のように構成されている。前記ピックアップ昇降台１０の上面であって前記円筒板１２４と前記分離カム８２との間には図１３，図４０に示すように軸受板１２６が分離カム８２と平行に立設されている。軸受板１２６の内側には図１３に示すように回動軸１２９を介して回動自在に拘束レバー１２７の中間部が支持され、拘束レバー１２７の前面側には外側へ向かって突出するピン１２７ａが固着され、背面側は内側へ向かって曲げられてガイド孔１２５の鉛直部１２５ｂに臨んでいる。そして、図４０に示すようにこの拘束レバー１２７の背面側を下方へ向かって付勢するバネ１２８が設けられている。一方、拘束レバー１２７の前面側のピン１２７ａは図４２のように分離カム８２の内側下部に形成されたカム溝８２ｒに遊嵌されている。このカム溝８２ｒは、図２の一対の分離カム８２のうちの左側のものにのみ形成されている。このカム溝８２ｒにおける背面側の上部には逃げ部が形成されており、分離カム８２が前面側へ移動して選択トレイ２のピン２ｃ，２ｄが中段嵌入部８２ｋ，８２ｋにはいるとピン１２７ａがカム溝８２ｒの逃げ部に逃げ得る状態となって、拘束レバー１２７がバネ１２８により回動し、挟持バネ８９の付勢力により上アーム１２が降下するように設定されている。（Ｇ）押出手段
押出手段８は、図２８のように枠体１の内部の左右に一対設けられている。押出手段８を一対設けたのは以下の理由による。まず、押し出すべきＣＤの上下に他のＣＤが存在し、他のＣＤに接触することなく押し出すべきＣＤのみを押し出すには上下方向の高さの小さいレバーを用いなければならない。次に、ＣＤは一対の板バネ２ｅによってトレイ２に付勢されることにより上下方向での位置決めがされているが、何らかの小さな外力が作用すると、板バネ２ｅの付勢力に抗してＣＤが傾く為、押出手段が単一の場合はＣＤにヒットしないおそれがある。このため、確実にヒットさせるように、押出手段８を一対設けたものである．
１対の押出手段８は略同一の構成なので一方についてのみ説明する。図１，図２８に示すように、回動することによってＣＤを押し出すための押出レバー１３２が、枠体１の天井板１ｄから下方へ突出する固定軸１３３に回動自在に取り付けられている。押出レバー１３２の高さは前記ローラ３５，３６の間の高さ、即ち挿脱高さ位置に設定されている。そして、固定軸１３３を囲繞するようにして設けられた付勢手段としての復帰バネ１３４の両端が、押出レバー１３２に形成されたバネ掛け部１３２ａと天井板１ｄに形成されたバネ掛け部とに掛けられている。
【００４５】
一方、今までに述べた分離カム８２の前面側へ移動することによる空間形成の作用とは反対の方向である背面側へ移動することで押出レバー１３２が回動するように構成されている。即ち、以下のようになっている。図１３に示すように前記軸受板１２６の外側には前後方向へ一定量だけスライド自在にプレート１３５が設けられている。つまり、軸受板１２６に一対のガイド孔１２６ａが形成される一方、夫々のガイド孔１２６ａに挿通したガイドピン１３５ａがプレート１３５に固着されている。プレート１３５の前面側端は内側へ折り曲げられて押出レバー１３２と一体の被押圧部１３２ｂと係合しうるようになっており、背面側端は外側へ折り曲げられて分離カム８２の背後へ向かって突出している。
（Ｈ）操作手段
最後に、操作手段９について説明する。この操作手段９は、挿脱モードのときにはディスク昇降台２２を昇降させて各段のトレイ２上のＣＤの挿脱を可能にし、更には前記開閉手段６を開いたり押出手段８を動作させたりし、再生モードのときにはディスク昇降台２２を最下位置に保持した状態でピックアップ昇降台１０を昇降させて選択されたＣＤを選択し、更には制御手段１１を動作させかつ規制手段１８を動作させる。
【００４６】
図２，図２０に示すように枠体１の左右の側板１ｂ，１ｃの外側には、前後方向へスライド自在に内スライダ１３９と外スライダ１４０とが設けられている。左右対称なので、一方について説明する。内，外スライダ１３９，１４０の上下にガイド孔１３９ａ，１４０ａが形成され、側板に固着したガイドピン１５８，１５９がガイド孔１３９ａとガイド孔１４０ａとの双方に挿通され、ガイドピン１５８，１５９には止め輪が取り付けられている。内スライダ１３９の背面側には、鉛直スリット７８から突出するピックアップ昇降台１０の一対のピン７７を６段階に昇降させるための一対の階段スリット１４１が形成されている。内スライダ１３９の前面側には、鉛直スリット２５から突出するディスク昇降台２２の一対のピン２２ｂを６段階に昇降させるための一対の階段スリット１４２が形成されるとともに夫々の階段スリット１４２の下には再生モードのときにディスク昇降台２２を最下位置に保持してピックアップ昇降台１０のみを昇降させるための床面スリット１４３が連続して形成されている。一方、外スライダ１４０には長いピンであるディスク昇降台２２の一対のピン２２ｂが入り込むスリットのみが形成されている。即ち、一対のピン２２ｂを階段スリット１４２内に入れて上下動させるための四角形状の一対の挿脱モード用スリット１４４と、床面スリット１４３内に入れて最下位置に保持するための水平線状の一対の再生モード用スリット１４５と、外スライダ１４０をいずれかの方向へスライドさせることによりテーパ面１４６ａ，１４６ｂによりピン２２ｂを上動又は下動させて一対の階段スリット１４２と床面スリット１４３との間で一対のピン２２ｂの位置を入れ替えるための４５゜に傾斜した切換用スリット１４６とが連通して形成されている。再生モード用スリット１４５どうしの上下方向の位置を同一にすると、スリットどうしが重なって連通してしまうことから、再生モード用スリット１４５，挿脱モード用スリット１４４，床面スリット１４３，階段スリット１４２と、これらに挿入するピン２２ｂの高さが相互に異なっている。
【００４７】
外スライダ１４０の背面側の上部は内側へ向かって直角に曲げられ、突出部１４０ｂが形成されている。外スライダ１４０と共にこの突出部１４０ｂが移動できるように、内スライダ１３９及び側板１ｂの背面側には逃げ切欠１３９ｂ，逃げスリット１４７が形成されている。ピックアップ昇降台１０と共に昇降する分離カム８２の高さ位置に拘らず分離カム８２が外スライダ１４０と一体にスライドさせられるようにするため、図２のように分離カム８２の背面側の外側の面には鉛直方向沿って係合溝８２ｓが形成され、当該係合溝８２ｓに突出部１４０ｂがスライド自在に嵌め込まれている。また、左側の外スライダ１４０における前面側には枠体１の底板１ｅの下へ向かって折り曲げて係合部１４０ｃが形成されている。この係合部１４０ｃは、外スライダ１４０が背面側へスライドする際に前記被押圧部７０ｃを背面側へ押圧し、復帰バネ６９の付勢力に抗してシャッタ６４を開くようになっている。
【００４８】
次に、前記の内スライダ１３９，外スライダ１４０の右側のものと左側のものとを同期して同時にスライドさせるための駆動機構について説明する。図２，図８に示すように枠体１の底板１ｅの下であって背面側には二対の軸受を介して２本の連結軸１４８，１４９が回転自在に支持されている。夫々の連結軸１４８，１４９の両端にはピニオン１５０，１５１が固着され、これらのピニオン１５０，１５１は内スライダ１３９，外スライダ１４０の背面側の下部に形成されたラック１３９ｃ，１４０ｄと噛み合っている。連結軸１４８，１４９には歯車１５２，１５３が固着されており、この歯車１５２，１５３には操作用モータ１５４，１５５が個別に連動連結されている。即ち、以下のようになっている。枠体１内の背面側の右側に配置されている前記軸受板１２６の内側の上下位置に操作用モータ１５５，１５４が取り付けられ、これらのモータ１５５，１５４の出力軸が軸受板１２６の内側に設けた２組の減速手段１５６，１５７を介して歯車１５２，１５３に連動連結されている。
【００４９】
次に、斯かるディスクプレーヤの作用を説明する。
【００５０】
（Ｉ）作用の全体構成
ディスクプレーヤの作用は、ディスク収納部３へのＣＤの挿入とディスク収納部３からのＣＤの排出と、ディスク収納部３にストックされた複数のＣＤのうちの一枚を選択して再生するＣＤの再生との３つの作用によって構成される。
【００５１】
（Ｊ）ＣＤの挿入
ＣＤをディスク収納部３へ挿入する場合は、トレイ２に付されている番号（上から下へ向かって１〜６の番号が付されている）を選択して図示しない番号ボタンの例えば「２」のボタンを押したのちに図示しない挿入ボタンを押す。操作用モータ１５４の出力軸の回転が減速手段１５６，連結軸１４８に伝わり一対の内スライダ１３９がスライドする動きと、操作用モータ１５５の出力軸の回転が減速手段１５７，連結軸１４９に伝わり一対の外スライダ１４０がスライドする動きとが別個独立に行われる。外スライダ１４０の一対の挿脱モード用スリット１４４内に一対のピン２２ｂが入り込んで、例えば図２１のように一対のピン２２ｂが挿脱モードにおけるモード切換位置にあるときにボタンが押されると、内スライダ１３９が後退することにより図２２（ａ）に示すように一対のピン２２ｂが階段スリット１４２の下から２番目まで上昇してそれと共にディスク昇降台２２も上昇して上から２番目のトレイ２上のＣＤが挿脱高さ位置に設定される。なお、このとき、ピックアップ昇降台１０も同時に上昇するが、これは不要な動きとなる。内スライダ１３９を更に後退させれば、ピン２２ｂと共にピックアップ昇降台１０が上昇し、順次に３〜６番目のトレイ２が挿脱高さ位置になる。
【００５２】
次に、図２２（ａ）の待機位置から挿脱モード用スリット１４４の前後方向での中間位置にピン２２ｂが来るまで外スライダ１４０が後退すると、外スライダ１４０の係合部１４０ｃが底板１ｅの下で図２に示す被押圧部７０ｃを背面側へ押圧するため、前後スライド板７０の動きがレバー７２を介して左右スライド板６６へ伝わり、復帰バネ６９の付勢力に抗して左右スライド板６６が左方へ移動し、シャッタ６４が上昇して図２６（ｂ）のように挿脱口４が開放される。
【００５３】
以上の動作によりシャッタ６４が開き、前記のように既に上から２番目のトレイ２が挿脱高さ位置になっているので、図２６（ａ）のように上下のローラ３５，３６の間へＣＤ１７１を挿入しようとすると、シャッタ６４の手前中央に配置した図示しないセンサがＣＤ１７１を検出し、移送用モータ４６が回転を始める。移送用モータ４６の回転力が歯車を介してローラ３６に伝わるため、図２７のようにバネ３８によりローラ３６へ付勢されるローラ３５との間にＣＤ１７１が噛み込まれ、ローラ３５，３６の回転によってＣＤは上から２番目のトレイ２の上に挿入されるが、ＣＤ１７１がローラ３５，３６から離れる位置までしか挿入されないので、残りの数ｍｍは押込バネ６０によって中央方向へ付勢される一対の縦ローラ５７により押し込まれる。ＣＤ１７１はトレイ２上では一対の板バネ２ｅの押さえ部２ｆによりトレイ２上に保持される。ＣＤ１７１がローラ３５，３６から離れると、図示しないリミットスイッチが動作して移送用モータ４６の回転が止まると同時に外スライダ１４０が前進して図２２（ａ）の待機位置へ戻るため、背後側へ向かって押圧されていた被押圧部７０ｃが開放され、復帰バネ６９の作用でシャッタ６４が閉じる。
【００５４】
一対のピン２２ｂが階段スリット１４２の他の高さ位置（下から１，３〜６番目）を占める場合も上記と同じ動作でＣＤを挿入できる。
【００５５】
（Ｋ）ＣＤの排出
ＣＤをディスク収納部２から排出する場合は、例えば「２」の番号ボタンと排出ボタンとを押す。すると挿入時と同様に例えば図２１の挿脱モードの切換位置から図２２（ａ）の待機位置へピン２２ｂが移動し、上から２番目のトレイ２上のＣＤが挿脱高さ位置に設定される。そして前記と同様に図２２（ｂ）の位置にピン２２ｂが来るまで外スライダ１４０が後退するとシャッタ６４が開く。ここまでの動作はＣＤの挿入時と全く同じである。
【００５６】
次に、図２３に示すように挿入モード用スリット１４４の前面側にピン２２ｂが来るまで外スライダ１４０が更に後退すると、図２８に示すように外スライダ１４０の背後側の突出部１４０ｂを介して外スライダ１４０と連動する分離カム８２が後退し、分離カム８２の背面がプレート１３５の背後側を押して後退させる。すると、プレート１３５の前面側が押出レバー１３２の被押圧部１３２ｂを背面側へ押し、押出レバー１３２が回動して上から２番目のＣＤ１７１の両側を押し出す。このとき、板バネ２ｅで押さえられていたＣＤ１７１は板バネ２ｅの付勢力に抗して傾くことがあり、押出レバーが単一の場合は押出レバーがＣＤ１７１の外周面から外れて排出できないおそれがあるが、一対設けられているために外れるおそれは少ない。排出ボタンを押すと同時に移送用モータ４６が回転してローラ３５，３６は既に回転しているので、押し出されたＣＤ１７１が図２９のようにローラ３５，３６間に挟まれて排出される。排出によりＣＤ１７１が落下するのを防止するため、ＣＤ１７１の背面側の一部がローラ３５，３６に挟まれているときに図示しないリミットスイッチがこれを検出し、移送用モータ４６の回転が停止する。このあとは手動でＣＤ１７１を一対のローラ３５，３６間から抜き取ることになる。ＣＤ１７１が抜き取られたことを図示しないセンサが検出すると、外スライダ１４０が前進し、ピン２２ｂが図２３の位置から図２２（ａ）の待機位置へ戻る。
【００５７】
すると、分離カム８２からプレート１３５へ加わっていた背面側への力が除去されるため、押出レバー１３２は復帰バネ１３４の付勢力により回動して図２８（ａ）に実線で示す元の位置へ復帰し、続いてＣＤの挿入後と同様にシャッタ６４が閉じる。
【００５８】
一対のピン２２ｂが階段スリット１４２の他の高さ位置（下から１，３〜６番目）を占める場合も上記と同じ動作でＣＤを排出できる。
【００５９】
（Ｌ）ＣＤの再生
ＣＤの再生を行うには、選択されたＣＤの番号を付した番号ボタンの例えば「２」のボタンと再生ボタンとを押す。すると、前記の図２２（ａ）の状態から内スライダ１３９が前進することにより図２１のようにピン２２ｂが挿脱モード用スリット１４４の最下位置まで降下してモード切換位置に来た後、外スライダ１４０が前進する。すると、切換スリット１４６の上テーパ面１４６ｂ（図２０（ｃ）参照）が押圧されることによってピン２２ｂが降下して内スライダ１３９の床面スリット１４３へ移動すると同時に、このピン２２ｂは外スライダ１４０の再生モード用スリット１４５内へ移動して図２４（ａ）のように再生モードに切り換わる。この切り換え時には、ピックアップ昇降台１０の一対のピン７７は階段スリット１４１の最下位置に止まったままである。このときのピン２２ｂの位置は、再生モードにおける挿脱モードへの切換位置であり、この状態から外スライダ１４０を後退させると切換スリット１４６の下テーパ面１４６ａが押圧されることによってピン２２ｂが上昇して図２１のように前記の挿脱モードにおけるモード切換位置へ戻ることができる。
【００６０】
図２４（ａ）に示すピン２２ｂの外スライダ１４０に対する位置はモード切換位置であるだけでなくピックアップ昇降台１０の高さのみを変えて再生するＣＤを選択するＣＤ選択位置でもある。つまり、図２４（ａ）の位置から内スライダ１３９のみを後退させれば、一対のピン２２ｂは相対的に床面スリット１４３の中を前進するように見えて実際には鉛直スリット２５の最下位置に保持されるためディスク昇降台２２は最下の再生位置から動くことはないが、他方の一対のピン７７は外スライダ１４０に隠れて見えないが相対的に階段スリット１４１に沿って上昇するように見えて実際には鉛直スリット７８の中を段階的に上昇する。つまり、内スライダ１３９を後退させることにより床面スリット１４３の位置に付された番号１〜６の位置に一対のピン２２ｂを位置させると、一対のピン７７は上下方向に付された番号１〜６の高さまで昇降し、当該番号のＣＤを再生できる状態となる。図２４（ａ）は６番のＣＤを再生できる状態であり、図２４（ｂ）は１番のＣＤを再生できる状態である。
【００６１】
ここでは前記のように２番のＣＤが選択されているので、図２５（ａ）に示すように一対のピン７７が上から２番目の位置まで上昇する。以上の動作で再生しようとするＣＤが再生しうる状態になり、以後の動作は何番のＣＤが選ばれた場合も同じであり、外スライダ１４０の動きと移送用モータ４６の駆動によって動作する。
【００６２】
再生する２番のＣＤが選択された図２５（ａ）の待機状態の後の作用を以下に説明する。図２５（ｂ）の外スライダ１４０上のＤ位置をピン２２ｂが占めるときつまりは図２５（ａ）の状態は待機状態であり、このとき分離カム８２は図３２の位置にあり、外スライダ１４０が前進してピン２２ｂが第一段階としてＥ位置に来ると、分離カム８２が前進して図３０（ａ），図３１（ａ）のように上から２段目と３段目とのトレイ２のピン２ｄ同士の間へ分離カム８２の背面側の下部先端が入り込み（ピン２ｃについても前面側の下部先端が入り込んで、以下ピン２ｄと同様の作用となる）、第二段階としてピン２２ｂがＦ位置にくると上から２段目のトレイ２のピン２ｄが第一分離制御部８２ｃ1を摺動して上段嵌入部８２ｊの上に載り、分離カム８２の上部先端が上から１段目と２段目とのトレイ２のピン２ｄ同士の間へ入り込んで図３３の状態となり、第三段階としてピン２２ｂがＧ位置に来ると、上から１段目のトレイ２のピン２ｄは第二分離制御部８２ｃ2を摺動して分離カム８２の上面８２ｆに載る。このため、第三段階でピン２２ｂがＧ位置にくると、図３４のように上から２番目の選択トレイ２の上と下とに空間が形成される。また、図２の右側の分離カム８２の移動により、図１９に示すバネ１７６で付勢されているロック部材１７４の摺動部１７４ｅが図３１（ｂ）のようにテーパー面８２ｕを滑って凹部８２ｔに入り込むため、下アーム１３の係合部１３ｂからロック部１７４ｂが離れ、挟持手段１４がロック解除される。
【００６３】
ピン２２ｂが図２５（ｂ）のＧ位置まで来たことが図示しないセンサにより検出されると、移送用モータ４６が回転を開始する。前記のように再生モードに切り換わったときに一対のピン２２ｂが床面スリット１４３内に入り込んで回動力供給手段１７のレバー１１３を下方へ押した状態になっているので、図３８（ａ）の状態からレバー１１３がピン１１４を中心として反時計方向へ回動し、プレート１０５が上昇してレバー１１０が軸１０９を中心に時計方向へ回動し、図３８（ｂ）のように歯車１１２が歯車１０３ｈに噛み合いながら歯車１０４とも噛み合う状態に既になっている。従って、移送用モータ４６の回転が駆動軸３０と歯車列１０３とを介してラック１１６ｂを有するスライドバー１１６に伝わり、図３９のようにスライドバー１１６が後退する。するとスライドバー１１６の背面側下部の係合ピン１１６ｃが長孔１３ａに遊嵌されていることから挟持手段１４が前面側へ向かって回動し、図１７（ａ）の位置決めピン１１９が変曲点であるｃ位置を越えると、トグルバネ１２０の付勢力が反対方向へ作用して図１７（ｂ）のように位置決めピン１１９がａ位置まで回動し、図３４に示すように選択されたＣＤ１７１の上下に上アーム１２，下アーム１３と共にチャックプレート９９，ターンテーブル９７が入り込む。これを平面図で示すと、図４０の状態から図４１の状態になる。挟持手段１４の回動を検出する図示しないリミットスイッチにより移送用モータ４６の回転が止まる。
【００６４】
第四段階としてピン２２ｄが図２５（ｂ）のＨの位置に来るまで外スライダ１４０が前進すると、選択トレイ２のピン２ｄが中段嵌入部８２ｋの中へ降下するため、選択トレイ２及び選択ＣＤが降下して図３５のように選択ＣＤ１７１がターンテーブル９７の上に載る。選択トレイ２の降下と略同時に外スライダ１４０と共に分離カム８２が前進することによって規制手段１８が動作し、挟持バネ８９の作用によって挟持手段１４の上アーム１２が下動し、選択されたＣＤ１７１がターンテーブル９７とチャックプレート９９との間に挟持される。即ち、挟持の作用を詳述すると以下のようになる。ピン２２ｂがＧの位置にあって挟持手段１４が待機位置Ｂを占めるときは図４２のようにガイドピン１２ａはガイド孔１２５の水平部１２５ａに位置するが、挟持手段１４が再生位置Ａを占めるとき、図４３（ａ）のようにガイドピン１２ａはガイド孔１２５の鉛直部１２５ｂに移動する。しかし、図３０（ｂ）に示すようにピン１２７ａは分離カム８２のカム溝８２ｒの逃げ部へは逃げられないためにガイドピン１２ａは拘束レバー１２７の背面側に阻止されて降下できない。次に、ピン２２ｂがＨ位置まで移動すると、分離カム８２も前進するために図３０（ｂ），図４３（ｂ）に示すようにピン１２７ａはカム溝８２ｒの逃げ部へ逃げることが可能になり、バネ１２８で付勢される拘束レバー１２７のピン１２７ａが分離カム８２のカム溝８２ｒの逃げ部へ向かって上動し、拘束レバー１２８の背面側が下がる。このため、図４４のように挟持バネ８９によって付勢されていた上アーム１２が降下して前記のように選択ＣＤ１７１が挟持される。
【００６５】
底板１ｅに立設した支柱９２を把持手段１４の回動中心である中空軸８６に挿通することで挟持手段１４の回動中心は底板１ｅの上で高精度に位置決めされ、かつトグルバネ１２０で位置決めピン１１９をピックアップ昇降台１０に押圧した状態で保持するので、ターンテーブル９７，チャックプレート９９は円周方向の軌跡上で高精度に位置決めされる。一方、ＣＤ１７１が載るトレイ２を案内するガイド支柱２３も支柱９２と同様に底板１ｅ上に立設されているためにＣＤ１７１も底板１ｅの上で高精度に位置決めされ、また図１１のようにＣＤ１７１における円周上の４個所を位置決めする位置決めロッド６１ａ，６１ｂ，６２ａ，６２ｂ，１７２，１７３及び一対の縦ローラ５７によりＣＤ１７１は枠体１に対して高精度に位置決めされている。しかも、下アーム１３の立ち上がり部に形成された図１６のＣＤ位置決め部１３ｃの存在により、ＣＤ１７１と下アーム１３つまりはターンテーブル９７との相対的な位置決めが行なわれている。従って、選択ＣＤ１７１が降下する際にターンテーブル９７の円錐台部９７ａの上部が確実にＣＤ１７１の孔に入り込み、ＣＤ１７１はターンテーブル９７に確実に装着される。このようにして、再生されるＣＤの中心と、ターンテーブル９７の中心と、チャックプレート９９の中心とが高精度で一致し、ＣＤ１７１の挟持が確実に行われる。
【００６６】
最後の第五段階としてピン２２ｂが図２５（ｂ）のＩ位置に来るまで外スライダ１４０が前進すると、図３０（ａ），図３１（ａ）のように選択トレイ２のピン２ｄが下段嵌入部８２ｍまで降下し、それまでは選択ＣＤ１７１と接触していた選択トレイ２が図３６のように降下して選択ＣＤ１７１から離れると同時に、図３７のように選択ＣＤ１７１を押さえていた板バネ２ｅの受け部２ｈが分離カム８２の背面側の上段嵌入部８２ｊの下面に押されて押し上げられ選択ＣＤ１７１を開放する。このとき選択トレイ２より下方のトレイ２は分離カム８２の下面８２ｈによって押さえられており、選択トレイ２より上方のトレイ２はコイルバネ２４によって下方へ付勢されているので、車両の振動する影響を受けてトレイ２が振動するのが防止される。
【００６７】
以上のようにして選択ＣＤが挟持手段１４に挟持されたあとは、挟持手段１４が図４１のようにＡ位置に保持された状態でＣＤの再生が行われる。まずスピンドルモータ９６が回転するとターンテーブル９７を介してＣＤが回転する。次にピックアップユニット１６の走査用モータ１６５が回転するとその回転がねじ軸１６４に伝わり、光ピックアップ１６２がねじ軸１６４に沿ってＣＤの半径方向の内側から外側へ向かって移動し、ＣＤの再生が行われる。再生中は図４１に示すように挟持手段１４がＡ位置を占める為、図４０の場合とは違って挟持手段１４がケース１７７の内壁Ｋから離れ、ケース１７７の内部で揺動自在なフロート状態となる。従って走行する車両からの振動を直接に受けることはなく、再生が適正に行なわれる。
【００６８】
ＣＤの再生が行われた後はねじ軸１６４が逆回転して光ピックアップ１６２が元の位置へ戻ると走査用モータ１６５の回転が停止し、スピンドルモータ９６の回転も停止する。その後は前記と逆の手順で外スライダ１４０が後退し、分離カム８２も後退する。そして、図３０（ｂ）に示すようにピン１２７ａがＨ位置からＧ位置へ戻ると、図４３（ｂ）の位置にあった拘束レバー１２７のピン１２７ａが図４３（ａ）のように分離カム８２におけるカム溝８２ｒの逃げ部から外れて下動し、拘束レバー１２７の背面側が上がる。このため、挟持手段１４から外側へ向かって突出するガイドピン１２ａがガイド孔１２５の鉛直部１２５ｂに沿って押し上げられ、挟持手段１４は回動し得る状態になる。このあとは図示しないセンサがガイドピン１２ａの上動したことを検出し、移送用モータ４６が前記とは逆方向へ回転して挟持手段１４が背面側へ回動する。そして、図１７（ｂ）のｂ位置を占めていた位置決めピン１１９が変曲点であるｃ位置を越えると、トグルバネ１２０の付勢力が反対方向へ作用して図１７（ａ）のように位置決めピン１１９がｂ位置まで回動し、挟持手段１４は待機位置であるＢ位置へ戻る。挟持手段１４の回動を検出する図示しないリミットスイッチにより移送用モータ４６の回転は止まる。挟持手段１４は待機位置Ｂに位置していてもトグルバネ１２０により背面側へ付勢されているので、両車の振動による影響を受けることはない。このあと、分離カム８２の移動によりロック部材１７４がテーパ面８２ｕを乗り上げる為、バネ１７６の付勢力に抗してロック部材１７４が移動する。このため、ロック部１７４ｂが係合部１３ｂに当接して挟持手段１４が回動しないようにロックする。外スライダ１４０が後退してピン２２ｂが図２５（ｂ）の待機位置Ｄまで戻ると、分離カム８２も後退して第１〜３番目のトレイ２の全てが降下し、６枚のトレイ２が分離されない図３２の状態に戻る。このとき、挟持手段１４は図４０のようにケース１から左方へ突出してケース１７７の内壁Ｋに当接するため、枠体１は揺動自在なフロート状態ではなく車両からの振動を受けるが、非再生時なので問題はない。
【００６９】
上から２番目以外の他のＣＤを再生する場合は、図２５（ａ）の状態から内スライダ１３９を前進又は後退させて図中の内スライダ１３９に付された１，３，４，５，６のいずれかの位置へピン２２ｂを相対的に移動させたのちに、外スライダ１４０をスライドさせて図２５（ｂ）の外スライダ１４０上のＤ〜Ｉの位置をピン２２ｂに順次合わせることにより、前記と同じ動作を繰り返すことができる。
【００７０】
再生するための選択ＣＤが図１１中の挿脱高さ位置を占める場合には、位置決めピン６１ａ，６１ｂ，６２ａ，６２ｂによる位置決めがなされないが、一対の縦ローラ５７が位置決めピン６１ａ，６１ｂ，６２ａ，６２ｂの代用となる。各ＣＤの再生の前後の段階でＣＤが上下に移動することになるが、縦ローラ５７の両端には図１２のようにテーパ面５７ａが形成されているので、ＣＤと縦ローラ５７とが干渉することはない。
【００７１】
なお、本実施の形態はディスクの記録及び／又は再生装置を音声の再生のためのディスクプレーヤに適用した場合について示したが、音声の記録用の装置あるいは記録及び再生用の装置、又は音声に限らず映像の記録及び／又は再生のための装置に適用してもよい。また、トレイの重なる方向が鉛直方向である場合として示したが、トレイの重なる方向を水平方向にすることもできる。更に、ディスクの大きさは１２ｃｍのものを用いるが、８ｃｍ等の他の大きさのものにも適用できる。
【００７２】
また更に、本実施の形態ではディスク収納部を構成するトレイの数を６枚にしたが、５枚以下でも７枚以上でもよい。また更に、ディスク載置手段として本実施の形態では図３（ａ），図４に示す一枚のトレイを用いたが、図中に二点鎖線で示す部分を切断し、アルミ板２ａのうちのＣＤの外周部が載る両端部のみを残して中央部を除去した一対の載置片を用いることもできる。
【００７３】
また更に、本実施の形態は再生手段が回動して進退する構成であるが、直線移動して進退する構成であってもよい。また更に、ロック部材は直線移動して進退する構成にしたが、回動して進退するようにしてもよい。また更に、本実施の形態ではロック部材と制御手段との双方にテーパー部を設けたが、いずれか一方に設けるようにしてもよい。
【００７４】
【発明の効果】
以上説明したように本発明によれば、非再生時に前記ロック手段をロックするロック手段を設け、該ロック手段を前記制御手段によって連動、駆動させるので、前記ロック手段を効果的（効率的）に駆動することができる。
また、前記再生手段の進路へ向かって進退自在にロック部材を設けたので、車両の振動により再生手段がとび出すのが未然に防止される。また、ロック部材の駆動手段として、ディスクの挿入・排出と再生とを制御するための制御手段を用いているので、モータを用いて駆動すると共にセンサを用いてタイミングをはかる構成に比べてロック部材の動作を確実なものにすることができる。
【図面の簡単な説明】
【図１】本発明によるディスクの記録及び／又は再生装置の実施の形態を示すディスクプレーヤの外観斜視図。
【図２】ディスクプレーヤの分解斜視図。
【図３】（ａ）はディスクプレーヤにおけるディスク収納部の分解斜視図、（ｂ）はトレイの要部を一部破断して示す斜視図。
【図４】ディスクプレーヤにおけるディスク収納部に係り、（ａ）は平面図、（ｂ）は正面図。
【図５】板バネの斜視図。
【図６】板バネが持ち上がった時の状態を示す説明図。
【図７】枠体の前面側の内部を背面側から見た斜視図。
【図８】移送手段及び回動力供給手段等の分解斜視図。
【図９】  (ａ)は駆動軸と従動軸との間に設けるバネの構成図、（ｂ）は(ａ)の左側面図。
【図１０】駆動軸と従動軸との間に設けるバネの斜視図。
【図１１】枠体の内部に設けた位置決めピンと縦ローラとの関係に係り、(ａ)は平面図、（ｂ）は正面図。
【図１２】縦ローラの拡大図。
【図１３】再生手段の斜視図。
【図１４】挟持手段の要部断面図。
【図１５】ピックアップユニットの平面図。
【図１６】下アームに設けたＣＤ位置決め部の説明図.
【図１７】位置決め手段に係り、（ａ）は挟持手段が待機位置に位置決めされた場合の背面図、（ｂ）は再生位置に位置決めされた場合の背面図。
【図１８】アームロック手段の近傍を示す平面図.
【図１９】アームロック手段の分解斜視図。
【図２０】操作手段に係り、（ａ）はピックアップ昇降台及びディスク昇降台の正面図、（ｂ）は内スライダの正面図、（ｃ）は外スライダの正面図。
【図２１】ＣＤの挿入，排出を行うための挿脱モード状態であってモード切換位置を示す操作手段の作用説明図。
【図２２】上から２番目のＣＤを挿脱する場合に係り、（ａ）は２番目のＣＤが選択された待機状態の操作手段の作用説明図、（ｂ）はシャッタが開いた状態の操作手段の作用説明図。
【図２３】上から２番目のＣＤを排出する場合における押出レバーが回動した状態の操作手段の作用説明図。
【図２４】ＣＤの再生を行うための再生モード状態に係り、（ａ）は上から６番目のＣＤを再生する場合の操作手段の作用説明図、（ｂ）は上から１番目のＣＤを再生する場合の操作手段の作用説明図。
【図２５】上から２番目のＣＤを再生する場合に係り、（ａ）はピンがＤ位置の待機状態にあるときの操作手段の作用説明図、（ｂ）はピンがＩ位置の再生状態にあるときの操作手段の作用説明図。
【図２６】ＣＤ挿入時のディスクプレーヤに係り、（ａ）は平面図、（ｂ）は正面図。
【図２７】ＣＤ挿入時のディスクプレーヤの側面断面図。
【図２８】ＣＤ排出時の押出手段に係り、（ａ）は平面図、（ｂ）は正面図。
【図２９】ＣＤ排出時の押出手段の側面断面図。
【図３０】一方の分離カムの作用に係り、（ａ）はトレイの動きとの関係を示す作用説明図、（ｂ）は上アームの昇降との関係を示す作用説明図。
【図３１】他方の分離カムの作用に係り、（ａ）はトレイの動きとの関係を示す作用説明図、（ｂ）はアームロック手段との関係を示す作用説明図。
【図３２】分離カムがトレイの分離を始める前の状態を示す側面図。
【図３３】分離カムにより、トレイが２分離された状態を示す側面図。
【図３４】分離カムにより、トレイが３分離された状態を示す側面図。
【図３５】トレイが３分離された後に選択トレイのみが降下して選択ＣＤがターンテーブル上に載り挟持手段に挟持された状態を示す側面図。
【図３６】選択ＣＤが挟持手段に挟持された後に選択トレイのみが再び降下して選択ＣＤから離れた状態を示す側面図。
【図３７】再生時に選択トレイの板バネが上がって選択ＣＤが開放された状態を示す説明図。
【図３８】回動力供給手段に係り（ａ）は回動力が供給されない状態の作用説明図、（ｂ）は供給される状態の作用説明図。
【図３９】回動力が挟持手段に供給されている状態を示す作用説明図。
【図４０】挟持手段が待機位置を占める状態を示す作用説明図。
【図４１】挟持手段が再生位置を占める状態を示す作用説明図。
【図４２】挟持手段が待機位置を占めるときの規制手段の状態を示す作用説明図。
【図４３】挟持手段が再生位置を占めるときの規制手段に係り、（ａ）は挟持を阻止している状態を示す作用説明図、（ｂ）は阻止を解除した状態を示す作用説明図。
【図４４】規制手段による阻止の解除により挟持手段がＣＤを挟持した状態を示す作用説明図。
【符号の説明】
２…トレイ
７…再生手段
１１…制御手段
８２ｕ…テーパー面
１７４ｄ…テーパー部
１７１…ＣＤ
１７４…ロック部材
１７６…バネ
【図１】
0004284833.tif 000002
【図２】
0004284833.tif 000003
【図３】
0004284833.tif 000004
【図４】
0004284833.tif 000005
【図５】
0004284833.tif 000006
【図６】
0004284833.tif 000007
【図７】
0004284833.tif 000008
【図８】
0004284833.tif 000009
【図９】
0004284833.tif 000010
【図１０】
0004284833.tif 000011
【図１１】
0004284833.tif 000012
【図１２】
0004284833.tif 000013
【図１３】
0004284833.tif 000014
【図１４】
0004284833.tif 000015
【図１５】
0004284833.tif 000016
【図１６】
0004284833.tif 000017
【図１７】
0004284833.tif 000018
【図１８】
0004284833.tif 000019
【図１９】
0004284833.tif 000020
【図２０】
0004284833.tif 000021
【図２１】
0004284833.tif 000022
【図２２】
0004284833.tif 000023
【図２３】
0004284833.tif 000024
【図２４】
0004284833.tif 000025
【図２５】
0004284833.tif 000026
【図２６】
0004284833.tif 000027
【図２７】
0004284833.tif 000028
【図２８】
0004284833.tif 000029
【図２９】
0004284833.tif 000030
【図３０】
0004284833.tif 000031
【図３１】
0004284833.tif 000032
【図３２】
0004284833.tif 000033
【図３３】
0004284833.tif 000034
【図３４】
0004284833.tif 000035
【図３５】
0004284833.tif 000036
【図３６】
0004284833.tif 000037
【図３７】
0004284833.tif 000038
【図３８】
0004284833.tif 000039
【図３９】
0004284833.tif 000040
【図４０】
0004284833.tif 000041
【図４１】
0004284833.tif 000042
【図４２】
0004284833.tif 000043
【図４３】
0004284833.tif 000044
【図４４】
0004284833.tif 000045